(57)【要約】  本発明は、水中の人間（１０）を監視するための装置（１）に関するものであり、当該装置は、人間（１０）に固定されるために設けられた担体装置（１００）と、担体装置（１００）に受容されており、センサ装置（２６４）及び処理装置を有している監視装置（２００）であって、センサ装置（２６４）が処理装置と接続されている監視装置（２００）と、担体装置（１００）によって受容されており、監視装置（２００）に接続された信号装置（３００）と、を有しており、信号装置（３００）は、浮体（３１０）を有しており、信号装置（３００）は、処理装置の信号に応じて、担体装置（１００）から、少なくとも部分的に、特に完全に解除され、水面（２０）に上昇するために設けられている。さらに、本発明は、水中の人間を監視するためのシステムに関するものであり、当該システムは、上述の種類の水中の人間（１０）を監視するための装置（１）と、ベースステーション（４００）と、を有している。さらに、本発明は、水中の人間（１０）を監視するための方法と、上述した種類の水中の人間（１０）を監視するための装置（１）の使用、又は、上述した種類の人間（１０）、特に子供を酸素の欠乏による危険、特に溺死から守るためのシステムの使用と、に関する。
2018530088.tif 000002
【特許請求の範囲】
【請求項１】
（ａ）人間（１０）に固定されるために設けられた担体装置（１００）；
（ｂ）前記担体装置（１００）に受容されており、センサ装置（２６４）及び処理装置を有している監視装置（２００）であって、前記センサ装置（２６４）が前記処理装置と接続されている監視装置（２００）；及び、
（ｃ）前記担体装置（１００）によって受容されており、前記監視装置（２００）と接続された信号装置（３００）、を有している、水中の人間（１０）を監視するための装置（１）において、
前記信号装置（３００）は、浮体（３１０）を有しており、
前記信号装置（３００）は、前記処理装置の信号に応じて、前記担体装置（１００）から、少なくとも部分的に、特に完全に解除され、水面（２０）に上昇するように調整されていることを特徴とする装置（１）。
【請求項２】
前記浮体（３１０）は、略気密な物体であり、ガスが供給される場合に、体積が増大することを特徴とする、請求項１に記載の装置。
【請求項３】
アクチュエータを更に有しており、
前記アクチュエータは、前記浮体（３１０）と接続されており、前記浮体（３１０）を、前記浮体（３１０）が浮遊できない第１の状態から、前記浮体（３１０）が浮遊できる第２の状態に移行させるために設けられている、請求項１又は２に記載の装置。
【請求項４】
圧力タンク（２５０）を更に有しており、
前記アクチュエータが、
（ａ）前記処理装置の信号に応じて、前記圧力タンク（２５０）と前記浮体（３１０）との間にガスを誘導する接続を可能にするために設けられた火工品（２５２ｅ）を有している；及び／又は、
（ｂ）前記処理装置の信号に応じて、前記圧力タンク（２５０）と前記浮体（３１０）との間にガスを誘導する接続を可能にするために設けられた駆動装置、特にモータ（２４０）を有している、請求項３に記載の装置。
【請求項５】
ガス供給装置を更に有しており、
前記ガス供給装置は、
（ａ）加圧されたガスを受容し、前記処理装置の信号に応じて、前記浮体（３１０）に向けて放出するために設けられた圧力タンク（２５０）；並びに／又は、
（ｂ）前記処理装置の信号に応じて、少なくとも部分的に、特に完全に、気体状態に変化し、前記浮体（３１０）に向けて放出される液体ガスを受容するために設けられた容器；並びに／又は、
（ｃ）前記処理装置の信号に応じて燃焼し、その際に生じるガスを前記浮体（３１０）に向けて放出するために設けられた火工要素；並びに／又は、
（ｄ）粉末状及び／若しくは固体状の第１の物質であって、前記処理装置の信号に応じて、第２の物質と接触するために設けられており、発生したガスは前記浮体（３１０）に向けて放出される第１の物質、を有している、請求項１から４のいずれか一項に記載の装置。
【請求項６】
前記信号装置（３００）が、前記担体装置（１００）から少なくとも部分的に、特に完全に分離されて、前記水面（２０）に存在する場合に、音声信号及び／又は視覚信号及び／又は無線信号をすぐに送信するために設けられている、請求項１から５のいずれか一項に記載の装置。
【請求項７】
前記信号装置（３００）が、特に少なくとも８０デシベル、好ましくは少なくとも９０デシベル、及び、さらに好ましくは少なくとも１００デシベルの音量を有する、人間の耳に聴こえる音声信号を発するために設けられている、請求項１から６のいずれか一項に記載の装置。
【請求項８】
前記信号装置（３００）が、振動体、特に強誘電性振動体（３２０）を有しており、前記強誘電性振動体は、人間が認識できる音を発生させる、請求項１から７のいずれか一項に記載の装置。
【請求項９】
保護カバーを更に有しており、
前記保護カバーは、前記担体装置（１００）上に配置されており、少なくとも前記信号装置（３００）、特に少なくとも前記信号装置（３００）及び前記監視装置（２００）を、特に水を透過させるように覆っており、前記保護カバーは、前記処理装置の信号に応じて、少なくとも部分的、特に完全に、前記担体装置（１００）から解除されるように設けられているので、前記信号装置（３００）は、解除の後に露出している、請求項１から８のいずれか一項に記載の装置。
【請求項１０】
前記装置（１）が、さらなるアクチュエータを有しており、前記アクチュエータは、前記処理装置の信号に応じて、前記保護カバーを少なくとも部分的、特に完全に露出させるため、及び／又は、少なくとも部分的、特に完全に前記担体装置（１００）から解除するために設けられている、請求項９に記載の装置。
【請求項１１】
前記センサ装置（２６４）が、信号を供給するために設けられたセンサ装置（２６４）、特に圧力センサ装置（２６４）であり、前記信号から、前記処理装置は、前記人間（１０）が水中にいるのか、特に、どのくらいの深さにいるのかを、直接推定するか、又は、間接的に算定することができる、請求項１から１０のいずれか一項に記載の装置。
【請求項１２】
前記監視装置（２００）が、時間測定装置を有しており、前記監視装置（２００）は、前記センサ装置（２６４）の信号、特に所定の信号に応じて、時間の検出を開始するために設けられている、請求項１から１１のいずれか一項に記載の装置。
【請求項１３】
前記監視装置（２００）が、前記信号を前記信号装置（３００）に伝達し、前記信号は、時間検出の間に検出された時間の長さが、所定の時間の長さを超えた場合に、前記信号装置（３００）を、前記担体装置（１００）から少なくとも部分的、特に完全に解除し、前記水面（２０）に上昇させる、請求項１２に記載の装置。
【請求項１４】
請求項１から１３のいずれか一項に記載の、水中の人間（１０）を監視するための少なくとも１つの装置（１）と、
信号装置（３００）を水面（２０）で受信装置（４１０）を用いて検出するために設けられ、さらなる音声信号及び／又はさらなる視覚信号及び／又はさらなる無線信号及び／又は電気信号を、送信装置（４２０）を用いて送信するために設けられた、少なくとも１つのベースステーション（４００）と、
を有する、水中の人間（１０）を監視するためのシステム（２）。
【請求項１５】
前記ベースステーション（４００）が、前記信号装置（３００）から、前記受信装置（４１０）を用いて、音声信号及び／又は視覚信号及び／又は無線信号を受信するために設けられており、特に、前記信号、特に前記音声信号は、所定の周波数を有する信号であり、前記ベースステーション（４００）は特に、概ね、前記所定の周波数を有する信号にのみ反応するために設けられている、請求項１４に記載の水中の人間を監視するためのシステム。
【請求項１６】
水中の人間（１０）を監視するための方法であって、以下のステップを、特に以下の順序で有している方法：
Ｓ１  請求項１から１３のいずれか一項に記載の、水中の人間（１０）を監視するための装置（１）を、人間（１０）に固定するステップ；
Ｓ２  センサ装置（２６４）によって、前記人間（１０）が水中に位置しているか、特にどのくらいの水深に位置しているかを検出するステップ；
Ｓ３  監視装置（２００）の時間計測装置によって、前記人間（１０）がどのくらい長く水中に留まっているか、特に前もって定めた深さよりも深くに留まっているかを検出するステップ；
Ｓ４  前記人間（１０）が、前もって定めた時間よりも長く水中に、特に前もって定めた深さよりも深くに留まっている場合はすぐに、危険な事態であると確定するステップ；
Ｓ５  処理装置の信号に応じて、信号装置（３００）を担体装置（１００）から、少なくとも部分的、特に完全に解除するステップ；
Ｓ６  前記信号装置（３００）が水面（２０）に上昇するステップ；及び、特に、
Ｓ７  前記信号装置（３００）によって、音声信号及び／又は視覚信号及び／又は無線信号を送信するステップ。
【請求項１７】
請求項１から１３のいずれか一項に記載の、水中の人間（１０）を監視するための装置（１）において使用するための信号装置（３００）であって、担体装置（１００）によって受容され、監視装置（２００）と接続されるために設けられた信号装置（３００）において、
前記信号装置（３００）は、浮体（３１０）を有しており、
前記信号装置（３００）は、信号に応じて、前記担体装置（１００）から、少なくとも部分的、特に完全に解除され、水面（２０）に上昇するために設けられていることを特徴とする信号装置（３００）。
【請求項１８】
請求項１から１３のいずれか一項に記載の、水中の人間（１０）を監視するための装置（１）、及び／又は、請求項１４又は１５に記載の、人間（１０）、特に子供を酸素の欠乏による危険、特に溺死から守るためのシステム（２）の使用。
【発明の詳細な説明】
【技術分野】
【０００１】
本発明は、水難事故から守るため、特に溺者等を早期に発見するための装置及び方法に関する。
【背景技術】
【０００２】
ｂｌａｕｓａｎｄ．ｄｅという組織の推定によると（ｗｉｋｉｐｅｄｉａ．ｏｒｇも参照のこと）、ヨーロッパでは、年間２万人を超える人々が水難事故で命を失っている。しかしながら、溺水事故の数は、平均して、溺死事故の数の５倍は多く、これらの溺水事故の多くは、重篤で、部分的に不治の健康被害を結果としてもたらしている。
【０００３】
重大な水難事故は、入浴者又は泳者が水中で意識を失い―それについては、多くの原因が考えられるが―それが第三者に気付かれないことによって引き起こされることが多い。なぜなら、広く知られている想定とは異なって、例えば力尽き、それゆえに溺れかけている泳者は大抵、身振りや叫び声で自身に注意を引き付けるための力をもはや有していないからである。その結果、泳者は気付かれないままに、水面下に沈んでしまう。このような状況において、被害者を、意識喪失後２分から３分以内に救助することができれば、大抵の場合、事故の後遺症は残らない。救助が、意識喪失後３分から５分の間に行われれば、まだ、被害者の命を救える可能性は高い。救助に要する時間が長くなると、被害者が生存する可能性は低下していく。
【０００４】
特許文献１からは、泳者が手首に送信機を装着し、送信機は、腕が水中に沈むと閉じる接触部を有しているシステムが知られている。腕が所定の時間水中に留まる場合、水中マイクによって受信される音響信号が送信される。しかしながら、当該システムでは、例えば能力及び必要が異なる泳者に関して、どのくらいの時間の後で、当該泳者が、音響信号の送信を防止又は止めるために、腕を水中から引き揚げなければならないのか、その時間を決定することが困難である。特に、泳者が多い場合は、どの送信機から危険信号が送信されているかについて、混乱が生じ得る。よって、持続する信号と、それによって危険な事態とが認識されるまでに、ある程度の時間が過ぎ去ることがあり得る。その結果、救助に残された時間が短くなる。さらに、平泳ぎ等のいくつかの泳法では、手首が長い時間、連続して水中にあることがしばしばであるが、頭部はそれとは無関係に、水中から浮上し、再び水中に沈む。
【０００５】
例えばスイミングプール等の、極めて頻繁に利用される領域では、さらに、様々な源から発せられる妨害信号ゆえに、受信機が危険信号を確実に認識することが困難である。
【０００６】
特許文献２からは、監視システムが知られており、当該監視システムでは、同様に泳者の手首に配置された送信機が、人間の可聴範囲外にある音波を常に送信している。当該音波は、水面よりも上側に配置された受信機によって検出される。水の密度ゆえに、送信された音波は、水中の送信機の深さが増大すると共に吸収される。特定の送信機の音響信号がもはや受信されない場合、アラームが発せられる。このようなシステムは、送信機の高いエネルギー需要の他に、受信機を注意深く配置することを必要とする。なぜなら、送信機の受信機からの水平距離が増大すると、浅水域に位置する送信機の信号も吸収されるからである。
【０００７】
特許文献３は、水域を監視するための装置及び方法に関する。特許文献３の開示全体は、参照することによって、本出願の開示に組み込まれる。当該装置は、１人の人間に割り当てられた、少なくとも１つのセンサ装置、評価装置及び送信装置を有する少なくとも１つの制御ユニットと、水域内に配置された少なくとも１つの受信装置と、受信装置に信号で接続された少なくとも１つの伝達装置と、から構成されており、制御ユニットの送信装置は、アラームを要する事態において、所定のパターンを有する信号を送信するように構成されており、受信装置は、この信号の所定のパターンに基づいて、アラームを要する事態を認識し、アラーム信号を送信するように構成されている。
【０００８】
その際、受信装置は、スイミングプールに固定して取り付けられているが、それによって、当該システムの利用可能性は、当該受信装置が取り付けられたスイミングプールに限定される。代替的に、可動式の受信ユニットを、例えば両親が、プールを利用する際に携行し、水域内に配置し、制御ユニットを取り付けられた、子供等の監視されるべき人間が遊泳することも可能である。
【先行技術文献】
【特許文献】
【０００９】
【特許文献１】米国特許第５０９１７１４号明細書
【特許文献２】独国特許出願公開第１０１１６０００号明細書
【特許文献３】独国特許出願公開第１０２００８０５０５５８号明細書
【発明の概要】
【発明が解決しようとする課題】
【００１０】
本発明の課題は、水中の人間を監視するための効果的な装置を供給することにあり、当該装置は、泳者、特に子供を被害から守るために、特に柔軟に、及び／又は、確実に使用可能である。
【課題を解決するための手段】
【００１１】
本発明によると、本課題は、請求項１に記載の装置によって解決される。本発明に係るシステムは、請求項１４の対象である。水中の人間を監視するための本発明に係る方法は、請求項１６の対象である。有利なさらなる発展形態は、従属請求項の対象である。
【００１２】
本発明の態様によると、水中の人間を監視するための装置は、以下の装置を有している：人間に固定されるために設けられた担体装置と、当該担体装置によって受容された、センサ装置及び処理装置を有する監視装置であって、センサ装置が処理装置に接続されている監視装置と、当該担体装置によって受容されており、監視装置に接続された信号装置であって、浮体を有しており、処理装置の信号に応じて、担体装置から少なくとも部分的に、特に完全に解除され、水面に上昇するために設けられ、特に調整された信号装置と、である。
【００１３】
本発明において「水中の人間を監視するための装置」、以下短縮して「装置」は、監視されるべき人間に固定された、１つ又は複数のパラメータを監視するために設けられたシステムであると理解され、この１つ又は複数のパラメータから、当該装置は、当該装置が取り付けられた人間に関して危険な事態が存在しているか否かを推測することが可能であり、危険な事態が存在する場合には、当該装置は信号を発する。当該信号は、他の人間、特に間近にいる人間が、危険な事態に気が付くようにするのに適しており、それによって、これらの人々は、危険に陥った人間を助けることが可能である。
【００１４】
本発明において「担体装置」とは、監視されるべき人間、特に子供、特に腕及び／又は脚及び／又は頸部及び／又は水着の一部に固定されるのに適しており、当該装置に関して以下において重要であると記載されるさらなる装置、例えば監視装置及び信号装置を、特に解除可能に自身に受容するため、及び／又は、特に解除可能に自身に固定するように調整された、あらゆる形式の装置であると理解される。
【００１５】
本発明において「監視装置」とは、１つ又は複数のセンサによって、監視されるべき人間の状態、特にその水中での滞留及び／又はその水中での深さ及び／又は持続時間を決定し、この状態を、前もって決定した境界値と比較し、当該境界値を上回る、又は、下回る場合にはアラームを発するために設けられた装置であると理解される。当該アラームはしかしながら、監視装置自身によってではなく、信号装置によって発せられる。
【００１６】
本発明において「センサ装置」とは、少なくとも１つの、特にＤＩＮ１３１９−１に基づいて決定された、測定変数に直接反応する（測定変数）受信機から構成された装置であると理解される。さらに、本発明に係る「センサ装置」は、特に測定部のさらなる要素、例えばアンプ、アナログ／デジタル変換器、エンコーダ等を含み得る。
【００１７】
本発明において「処理装置」とは、信号、特に電気信号を受信し、処理し、信号、特に電気信号を発するために設けられた装置であると理解される。好ましくは、本発明に係る処理装置は、中央処理装置（ＣＰＵ）を有する電子回路であり、さらに好ましくは、当該処理装置は、少なくとも部分的に、集積回路（ＩＣ）において実現している。
【００１８】
本発明において「信号装置」とは、危険な事態において、監視されるべき人間を指示するために設けられた装置であると理解される。これは例えば、水面に浮遊する、特に信号色の浮体のみによって行われ得る。さらに、この指示は、特に付加的な、音響信号、及び／又は、閃光等の光信号によって行われ得る。
【００１９】
本発明において「有している」という動詞のあらゆる可能な形は、それぞれ、完結していない列挙であると理解される。
【００２０】
担体装置、センサ装置、監視装置等の、本発明の範囲内で記載される装置は、必ずしも構造ユニットとして理解されなければならないのではなく、単に機能ユニットとして理解される。
【００２１】
本発明に係る装置は特に有利である。なぜなら、本発明によって初めて、例えばプール、屋外プール、スイミングプール、湖、河川又は海といった、あらゆる種類の水域における局所的所与条件とは無関係に使用され得る装置が供給されるからである。例えばエネルギー供給部及び／又はベースステーションといった、付加的なインフラは、遊泳場では不要である。しかしながらこれは、本発明に係る装置が、ベースステーションを有する対応するシステムに統合されており、それによって、特に付加的な、信号装置が発した信号を受信し、当該信号、及び／又は、より広い範囲の人々に、特に対応する受信装置を保持又は装着している監督者に、危険な状況を気付かせることができるような別の信号を送信することを明確に排除はしない。
【００２２】
本発明に係る装置は、さらに、特に有利である。なぜなら、危険な事態において、装置の全体を水面に上昇させなければならないのではなく、危険であることを示すために必要な構成要素、特に信号ユニットのみを上昇させればよいからである。
【００２３】
当該装置は、容易に、特に解除可能に、特に（小さい）子供には解除できない安全ロックを用いて、監視されるべき人間に固定され得る。
【００２４】
さらに、当該装置は、例えば監視員又は両親のような選ばれた人々だけではなく、見える及び／又は聞こえる範囲にいる全ての人々に、危険な事態が生じていることを知らせるので、反応時間を明らかに短縮することができる。
【００２５】
本発明に係る装置を用いる際、例えば幼児等の、監視されるべき人間は、手首に、特に腕時計よりも大きくはない当該装置を装着する。公共の遊泳場で当該装置を用いる場合、当該装置は好ましくは、公共の遊泳場で一般的に用いられているロッカー用のキーリストバンドに統合されている。
【００２６】
装置の一実施形態によると、監視装置は、関連パラメータとして、センサ装置で支配的な圧力、特に水圧を、その時間的推移に応じて検出する。好ましくは、センサ装置は、例えば装置の動きといった、着用者に関するパラメータも検出する。
【００２７】
一実施形態によると、当該装置はさらに、最新のバッテリの状態及び／若しくは装置の使用準備状態の表示装置、又は、少なくとも主に安全目的に用いるのではない装置のような、付加装置を有している。これは例えば、電子キーシステム又現金不要の支払いシステムであり、そのために、好ましくはＲＦＩＤトランスポンダ等が、当該装置に統合され得る。例えば監視システム又は支払い機能に関する、又は、バッテリの状態に関する、保存された情報を表示するために、好ましくは表示ディスプレイが当該装置に統合されている。
【００２８】
一実施形態によると、当該装置は、アラームを要する状態の存在を、着用者の個別の特性に応じて、それぞれ異なる外的条件において決定するために設けられている。その際、例えば幼児、泳げない人、泳者又は競泳者のために構成された装置が問題となる。その際、好ましくは、当該装置の監視装置は、当該装置が所定の水深よりも深くに留まる時間に関して決定された長さに応じて、危険な事態の存在を推測する。当該装置のセンサ装置が、当該装置の動きも検出する場合、比較的長い静止状態は、同様に、危険な事態が存在していることに関する基準であり得る。
【００２９】
例えば、手首に当該装置を装着した泳者の場合、４５秒よりも長い時間にわたる、少なくとも０．１ｂａｒの過圧は、危険な状態を定義している。０．１ｂａｒの過圧は、水深１メートルにおいて優勢である。手首に当該装置を装着して水深１メートル以上に到達することは、通常、泳者の頭部が水面より大幅に下にある場合のみ可能である。従って、一般的な遊泳状況では、当該装置が比較的長い時間にわたって、０．１ｂａｒの過圧下に置かれることは、あり得ないと言ってよい。このような過圧は、短期的には、泳者が泳ぐ動きによっても引き起こされ得るか、又は、意図的な潜水の際にももたらされるので、好ましくは、この過圧が、比較的長いが、泳者を危険に陥らせず、救助のための時間枠を不必要に短縮することのないような所定の時間にわたって存在する場合に初めて、危険な事態が想定される。この時間及び関連する過圧は、好ましくは、監視されるべき人間の個別の特性に応じて決定される。
【００３０】
好ましくは、危険な事態を定義するパラメータ及びその値を、当該装置に関して、人間の身体的特性又は能力に応じて決定することが可能である。好ましくは、当該装置は、危険な事態を定義するパラメータの値が、例えば監督者、特に（小さな）子供の両親によっても、及び／又は、監督者、特に（小さな）子供の両親によってのみ、決定され得るように構成されている。対応する構成は、制御要素を通じて装置自体に形成されるか、又は、コンピュータ等の接続されるべき構成要素を用いて形成され得る。
【００３１】
一実施形態によると、浮体は、ガスが充填されるように構成されたバルーンである。好ましくは、当該バルーンは、１つ又は複数のエラストマー、特にポリマー分散及び特に好ましくはラテックス材料を有している。好ましくは、バルーンに用いられる１つ又は複数の材料は、塩素水及び／又は塩水に対する耐性、特に非感受性を有している。一実施形態によると、人間を監視するための装置の全ての要素は、塩素水及び／又は塩水に対する耐性、特に非感受性を有している。
【００３２】
ガスとして問題になるのは、浮体及び必要に応じて浮体に固定された、特に解除不能に固定された装置を、水面に上昇させるのに適した全てのガスである。
【００３３】
これは特に有利である。なぜなら、バルーンは、充填された状態において、自重の水中での変位に対する非常に優れた比を有しており、それによって、浮力が増大するからである。代替的に、この自重の水中での変位に対する優れた比は、バルーンの設計寸法を減少させるために利用可能であり、それによって、装置の設計寸法の縮小が促進され得る。
【００３４】
一実施形態によると、当該装置はさらに、アクチュエータを有しており、当該アクチュエータは、浮体と接続されており、浮体を、浮体が浮遊できない第１の状態から、浮体が浮遊できる第２の状態へと移行させるために設けられている。
【００３５】
本発明において「アクチュエータ」とは、能動的なプロセスを通じて、浮体を第１の状態から第２の状態に移行させるために設けられた装置であると理解され、この移行は、例えば開ループ制御若しくは閉ループ制御された弁の形で、又は、シールを開封するための装置の形で、特に浮体にガスを誘導する接続を可能にすることによって行われる。これは特に有利である。なぜなら、それによって浮体は、全ての時間を通じて水面に上昇することが可能でなくてはならないのではなく、危険な事態においてようやく上昇できればよいからである。浮体がバルーンの形で存在する場合、浮体は、最初は膨らんだ状態にはなく、危険な事態において初めてガスが充填される。
【００３６】
それによって、構造を小型化することが可能であり、構造の小型化によって、上述の種類の、特に腕に固定するための、特に腕時計と比較可能な大きさの装置を供給することが、初めて可能になる。
【００３７】
一実施形態によると、当該装置はさらに、圧力タンクを有しており、アクチュエータは、
（ａ）処理装置の信号に基づいて、圧力タンクと浮体との間にガスを誘導する接続を可能にするために設けられた火工品；及び／又は、
（ｂ）処理装置の信号に基づいて、圧力タンクと浮体との間にガスを誘導する接続を可能にするために設けられた駆動装置、特にモータ、
を有している。
【００３８】
本発明において「火工品」とは、監視装置の信号に基づいて、電気的及び／又は光学的及び／又は化学的に点火されるように調整された装置であると理解される。点火の後、火工物質は、少なくとも部分的に、ガスを放出しながら燃焼する。
【００３９】
一実施形態によると、火工品は、火工物質を有する容器であり、当該容器は、火工物質の点火後に発生するガスを、特に圧力タンクから浮体までのガスを誘導する接続を可能にすべく用いるために設けられており、その結果、少なくとも火工品を用いて生成されたガスには限らないガスが、少なくとも部分的に、特に完全に、浮体に誘導される。
【００４０】
好ましくは、火工要素は、小型の雷管及び／又は小型の火工ヒューズアセンブリを有している。一実施形態によると、火工要素は、特に５Ｖより大きい電圧、好ましくは特に少なくとも約１２Ｖの電圧で、電気的に点火される。
【００４１】
この実施形態（ａ）は、特に有利である。なぜなら、それによって、非常に速い反応時間を有するアクチュエータの比較的単純な構造が得られるからである。
【００４２】
一実施形態によると、火工品は、特に１２Ｖの電圧で電気的に点火される。一実施形態によると、人間を監視するための装置のバッテリは、３Ｖの動作電圧を有するバッテリ、特にボタン電池を有している。出願人が発見したところによると、このようなバッテリからは、火工品を点火するために、より高い電圧、特に１２Ｖの電力を、短期的に引き出すことも可能である。
【００４３】
これは特に有利である。なぜなら、小型のボタン電池を、通常動作のために用いることが可能でありながら、アラームを要する事態には、火工品を点火できるからである。
【００４４】
実施形態（ｂ）は特に有利である。なぜなら、特にバッテリ、特にボタン電池の形態を有する１つのエネルギー源のみが必要であり、特に好ましくは、特別な補助手段を用いず、特別な知識を用いず、装置の機能の安全性を脅かすこともなく、当該エネルギー源を交換することができるからである。さらに、当該実施形態は特に有利である。なぜなら、特にモータは、概ね、耐老化性を有しており、従って、モータの検査は、好ましくは当該装置の動作寿命全体を通じて、不要だからである。
【００４５】
一実施形態によると、当該装置は、さらにガス供給装置を有しており、当該ガス供給装置は、以下を有している：
（ａ）加圧されたガスを受容し、処理装置の信号に応じて、浮体に向けて放出するために設けられた圧力タンク；並びに／又は、
（ｂ）処理装置の信号に応じて少なくとも部分的に、特に完全に、気体状態に変化し、浮体に向けて放出される液体ガスを受容するために設けられた容器；並びに／又は、
（ｃ）処理装置の信号に応じて燃焼し、その際に生じるガスを浮体に向けて放出するために設けられた火工要素；並びに／又は、
（ｄ）粉末状及び／若しくは固体状の第１の物質であって、処理装置の信号に応じて、第２の物質と接触するために設けられており、発生したガスは浮体に向けて放出される第１の物質。
【００４６】
本発明において「ガス供給装置」とは、ガスを供給する、及び／又は、ガスを貯蔵する、及び／又は、ガスを輸送するための、少なくとも１つの要素を有する装置であると理解される。
【００４７】
実施形態（ａ）は、浮体に向けてガスを放出するために、さらなる装置を必要としないので、特に有利である。なぜなら、加圧されたガスは、ルシャトリエの原理に基づいて、自身の駆動力によって、システム全体に均一の圧力が存在するようになるまで、浮体内に膨張するからである。
【００４８】
当該実施形態によると、ガスとして問題になるのは、特に（周囲の）空気である。なぜなら、空気は、事実上無制限に利用可能であり、ただ、装置の製造の際に圧縮すればよいからである。さらに、希ガス、特にヘリウム、ネオン、アルゴン、クリプトン、キセノン、及び／又は、それらの混合物も用いることができる。一実施形態によると、圧力タンクは、少なくとも１０ｂａｒ、特に少なくとも５０ｂａｒ、特に少なくとも１００ｂａｒ、特に少なくとも２００ｂａｒ、特に少なくとも４００ｂａｒの圧力を有するガスを受容する。
【００４９】
これは特に有利である。なぜなら、圧力装置内部のガスの圧力が高ければ高いほど、ボイル−マリオットの法則に基づいて、浮体の同じ容積を満たすために、圧力装置を小さくすることができるからである。
【００５０】
一実施形態によると、圧力タンクは、所定の時間的間隔において、又は、連続的に、圧力タンク内の圧力を検出し、監視装置に転送するために設けられている。
【００５１】
これは特に有利である。なぜなら、装置の使用準備状態は、装置自身によって、定期的に自動で監視されるからである。従って、検査周期、すなわち特に経験豊富な人員による装置の点検の周期を、明らかに長くすることができる。好ましくは、装置の動作寿命の間、検査を全く行わないことが可能である。
【００５２】
本発明において「液体ガス」とは、室温で、最大１００ｂａｒまでの比較的低い圧力下において、液状であり続けるガスであると理解される。本発明に係る液体ガスは、特に、エタン及び／又はプロパン及び／又はブタン又はこれらの内の少なくとも２つによる任意の混合物を有しており、特にエタン及び／又はプロパン及び／又はブタン又はこれらの内の少なくとも２つによる混合物から構成されているガスである。
【００５３】
実施形態（ｂ）は特に有利である。なぜなら、それによって、充填媒体のより高い密度が、浮体の充填の前に得られるからである。例えば、１ｃｍ３の量の液体ガスは、気体状態において、容積２５０ｃｍ３の浮体を満たすために適している。さらに、当該容器は、２００ｂａｒまでの（安全用の予備を含めて）比較的低い圧力にのみ合わせて調整されていればよい。
【００５４】
本発明において「火工要素」とは、監視装置の信号に応じて、電気的及び／又は光学的及び／又は化学的に点火されるように調整された火工物質であると理解される。点火の後、火工物質は、少なくとも部分的に、ガスを放出しながら燃焼する。
【００５５】
一実施形態によると、火工物質は容器内に配置されており、当該容器は、特にガス出口を介して、浮体と気密に接続されているので、当該物質の点火の間、又は、点火の後で生じたガスは、少なくとも部分的に、特に完全に、浮体内に誘導される。
【００５６】
好ましくは、火工要素は、小型の雷管及び／又は小型の火工ヒューズアセンブリを有している。一実施形態によると、火工要素は、特に５Ｖより大きい電圧、好ましくは特に少なくとも約１２Ｖの電圧で、電気的に点火される。
【００５７】
実施形態（ｃ）は特に有利である。なぜなら、それによって、圧力タンクの圧力損失の危険が排除され得るので、検査周期、すなわち、特に経験豊富な人員による装置の点検の周期を、明らかに長くすることができるからである。好ましくは、装置の動作寿命の間、検査を全く行わないことが可能である。
【００５８】
一実施形態によると、火工要素は、特に１２Ｖの電圧で電気的に点火される。一実施形態によると、人間を監視するための装置のバッテリは、３Ｖの動作電圧を有するバッテリ、特にボタン電池である。出願人が発見したところによると、このようなバッテリからは、火工要素を点火するために、より高い電圧、特に１２Ｖの電力を、短期的に引き出すことも可能である。
【００５９】
これは特に有利である。なぜなら、小型のボタン電池を、通常動作のために用いることが可能でありながら、アラームを要する事態には、火工要素を点火できるからである。
【００６０】
粉末状及び／若しくは固体状の第１の物質は、好ましくは酒石酸ナトリウムを有している。酒石酸ナトリウムは、分子式Ｃ４Ｈ４Ｏ６Ｎａ２を有する、酒石酸のナトリウム塩であり、特に、結合した形で、多くの果物に含まれている。第２の物質は、好ましくは液状物質であり、特に水を有する物質、特に少なくとも実質的に水、特に水である。この文脈において、水は、水泳に適した自然地域又は人間によって造られた設備に存在しているような、淡水も海水も含んでいる。
【００６１】
２つの物質が接触すると、化学反応が開始し、少なくとも１つの気体状成分が生成される。
【００６２】
実施形態（ｄ）は特に有利である。なぜなら、その構造は非常に単純であり、当該装置に含まれた粉末状及び／又は固体状の第１の物質は、可燃性ではなく、及び／又は、特に子供の健康が懸念されるようなものではないからである。
【００６３】
一実施形態によると、信号装置は、担体装置から少なくとも部分的に、特に完全に解除されて、水面に存在する場合すぐに、音声信号及び／又は視覚信号及び／又は無線信号を送信するために設けられている。
【００６４】
これは特に有利である。なぜなら、それによって、危険な事態において水面に浮遊する浮体の効果がさらに強化され、危険に陥っている人間の周囲にいる他の人々の注意を、危険な事態に積極的に向けさせるからである。
【００６５】
一実施形態によると、視覚信号は、光信号、特に点滅信号、特に間隔を置いて発せられるフラッシュ様の信号である。
【００６６】
一実施形態によると、信号装置は、特に少なくとも８０デシベル、好ましくは少なくとも９０デシベル、及び、さらに好ましくは少なくとも１００デシベルの音量を有する、人間の耳に聴こえる音声信号を発するために設けられている。
【００６７】
好ましい実施形態において、音声信号は、５０Ｈｚから１０ｋＨｚの範囲の周波数を有している。その際、届く範囲及びエネルギー消費に関しては、２ｋＨｚから１０ｋＨｚ、特に３ｋＨｚから５ｋＨｚの周波数範囲が特に適切であることが明らかになっている。
【００６８】
これは特に有利である。なぜなら、音声信号は、視線とは関係なく、危険に陥っている人間の周囲の人々によって認識されるからである。従って、危険に陥っている人間の周囲の人々の注意をすぐに集中させることが、少なくとも促進、特に保証される。
【００６９】
一実施形態によると、信号装置は、振動体、特に強誘電性振動体を、特に圧電素子の形において有しており、当該振動体は、人間が認識できる音を発生させる。
【００７０】
これは特に有利である。なぜなら、振動体は、危険に陥っている人間の周囲の人々が音声又は音として認識できるような、適切な音圧を形成することができるからである。
【００７１】
好ましい一実施形態によると、振動体は、浮体が、振動体の効果を修正、特に強化する共鳴体として機能するように、浮体に取り付けられている。
【００７２】
一実施形態によると、当該装置はさらに、保護カバーを有しており、当該保護カバーは、担体装置上に配置されており、少なくとも信号装置、特に少なくとも信号装置及び監視装置を、特に水を透過させるように覆っており、保護カバーは、監視装置の信号に応じて、少なくとも部分的、特に完全に、担体装置から解除されるために設けられているので、少なくとも部分的な解除の後、少なくとも信号装置は露出している。
【００７３】
これは特に有利である。なぜなら、装置の精密な構成要素、特に監視装置及び信号装置と、例外的にしばしば精密である浮体とは、危険な事態を除いて、使用している間、つねに力の作用及び／又は太陽放射から守られている。
【００７４】
危険な事態において、保護カバーは少なくとも信号装置を露出させるので、信号装置はその後、担体装置から解除され、水面に上昇し得る。
【００７５】
透水性によって、周囲の水圧を水中で監視されるべき人間の深さに関する基準として決定するために設けられたセンサ装置、特に圧力センサ装置を、保護カバーの下側に配置することが可能になり、それによって、センサ装置も保護カバーによって保護されるが、それにも関わらず、センサ装置は、有意義な測定値を決定することができる。
【００７６】
一実施形態によると、当該装置は、さらなるアクチュエータを有しており、アクチュエータは、監視装置の信号に応じて保護カバーを、少なくとも部分的、特に完全に露出させるため、及び／又は、少なくとも部分的、特に完全に担体装置から解除するために設けられている。
【００７７】
これは特に有利である。なぜなら、保護カバーが、危険ではない場合は担体装置に固く接続されており、間違って分離してしまう危険が減少する、特に排除されるように、保護カバーを構成することができるからである。
【００７８】
一実施形態によると、保護カバーは、浮体によって、担体装置から、特にバルーンを膨らませている途中で、少なくとも部分的、特に完全に解除される。
【００７９】
一実施形態によると、アクチュエータ及びさらなるアクチュエータは、共通のアクチュエータ装置によって形成される。
【００８０】
これは特に有利である。なぜなら、それによって、建設空間を必要とし、費用を必要とし、付加的なエラーの可能性をもたらすような、付加的な構成要素が不要だからである。特に、アクチュエータは、可動要素を有しており、当該可動要素は、危険でない場合には、一方では保護カバーをロックし、他方では圧力タンクを閉鎖し、危険な事態においては変位するので、それによって、保護カバーは、少なくとも部分的に解除され、圧力タンクは浮体に向けて開放される。
【００８１】
一実施形態によると、センサ装置は、信号を供給するために設けられたセンサ装置、特に圧力センサ装置であり、当該信号から、監視装置は、人間が水中にいるのか、特に、どのくらいの深さにいるのかを、直接推定するか、又は、間接的に算定することができる。
【００８２】
これは特に有利である。なぜなら、センサ装置が位置する水深を通じて、監視されるべき人間の頭部がまだ水面より上側にあるか否かを推定することができるからである。
【００８３】
深さを決定するための好ましい基準は、水圧である。なぜなら、水圧は、水面のすぐ上側の空気圧に対して、水深１０メートルごとに１ｂａｒ増大するからである。
【００８４】
一実施形態によると、当該装置のセンサ装置は付加的に、空気圧を直接、すなわち水面から２メートルまで上側の範囲において検出し、監視装置は、水面のすぐ上側の空気圧の、水中の当該装置の周囲圧力に対する差を決定し、それによって、センサ装置が位置する水深をより正確に見積もることが可能になる。
【００８５】
一実施形態によると、監視装置は、時間測定装置を有しており、監視装置は、センサ装置の信号、特に所定の信号に応じて、時間の検出を開始するために設けられている。
【００８６】
一実施形態によると、センサ装置の所定の信号は、所定の閾値を上回る、又は、下回る、すなわち危険領域に位置する測定値である。
【００８７】
これは特に有利である。なぜなら、それによって、センサ装置と、それに伴って当該装置と、それに伴って監視されるべき人間とが、危険な領域、特に所定の最大水深よりも下側に存在している特定の時間のみが検出されるからである。当該装置の他の動作状態においては、時間の計測は行われないので、その結果、省エネルギーと、それに伴って寿命、特にバッテリ寿命の延長とがもたらされる。
【００８８】
少なくとも熟練した泳者の場合、深さだけでは、ある程度までは、危険な事態に関する唯一の指標にはできない。監視されるべき人間が、あまりにも長く、所定の最大水深よりも深くに留まっているのであれば、危険な事態を推測することが可能である。
【００８９】
一実施形態によると、監視装置は、信号を信号装置に伝達する。当該信号は、時間検出の間に検出された時間の長さが、所定の時間の長さを超えた場合に、信号装置を、担体装置から少なくとも部分的、特に完全に解除し、水面に上昇させる。
【００９０】
これは特に有利である。なぜなら、それによって、アラームが、危険な事態においてのみ、すなわち、監視されるべき人間が、所定の最大の長さよりも長く、連続的に、所定の最大水深より深い位置に存在する場合に、発せられるからである。
【００９１】
最大深さを上回る前に、所定の最大深さを再び下回った場合、すなわち、監視されるべき人間が、再び許容される深さに位置する場合、アラームを発することなく、時間の検出が中止される。
【００９２】
一実施形態によると、信号装置はさらに、コード様の要素を有しており、当該要素は、信号装置が、実質的に担体装置から分離して、水面に位置していたとしても、信号装置と担体装置とを互いに接続している。
【００９３】
これは特に有利である。なぜなら、それによって、例えば河川又は湖等の、特に濁った水域において、水の濁り、及び／又は、監視されるべき人間の水中での深さゆえに、監視されるべき人間を水面から直接識別することが不可能であるか、又は、十分に可能ではない場合でも、監視されるべき人間を、危険な事態において迅速に発見できるからである。
【００９４】
一実施形態によると、担体装置及び／又はベース装置は、位置特定装置を有している。当該位置特定装置は、特に水の濁り、及び／又は、監視されるべき人間の水中での深さゆえに、監視されるべき人間を水面から直接識別することが不可能であるか、又は、十分に可能ではない場合に、監視されるべき人間を、危険な事態においてより迅速に発見するために特に設けられており、特にそのように調整されている。さらなる発展形態によると、位置特定装置は、音源及び／又は光源を有している。光源の例は、ＬＥＤ、特に高出力ＬＥＤであり、これらは特に、点滅する光信号を発するように調整されている。
【００９５】
一実施形態によると、アラーム要素及び／又は信号装置は、ベース装置及び／又は監視装置から分離するように設けられており、特に調整されている。この分離は特に、浮体を浮遊可能な状態に移行させる間、特に浮体を膨らませる間に、浮体の増大する体積を、ベース装置及び／又は監視装置の一部に対する力を形成するために利用し、この力を、アラーム要素及び／又は信号装置を、ベース装置及び／又は監視装置から分離させるために用いることによって行われる。これは特に有利である。なぜなら、それによって、解除及び／又は分離のための付加的な構成要素を省略することが可能になり、それによって、装置の構造が簡略化されるからである。
【００９６】
一実施形態によると、強誘電性振動体が、浮体の内部空間とガスを誘導するように接続されている。これは特に有利である。なぜなら、このような方法で、アラーム要素が危険な事態において水面に上昇するとすぐに、強磁性振動体によって形成された音が、浮体を通じて、少なくとも部分的に、水面の上側に送信されるからである。特に、水面における、水から空気への損失の多い音響伝送が回避される。
【００９７】
一実施形態によると、担体装置はリストバンドを有しており、リストバンドは、ロック装置を有しており、ロック装置を作動させるためには、例えば形状接続ツール（キー）等の付加的な補助手段、又は、例えば数字の組み合わせ等の情報が必要である。
【００９８】
これは特に有利である。なぜなら、このような装置は、例えば、幼児が装置を外すことを防止できるからである。
【００９９】
本発明のさらなる態様によると、水中の人間を監視するためのシステムは、以下の装置を有している：上述の実施形態の内の１つに係る装置と、信号装置を水面で受信装置を用いて検出するために設けられ、さらなる音声信号及び／又はさらなる視覚信号及び／又はさらなる無線信号を、送信装置を用いて発するために設けられたベースステーションと、である。
【０１００】
本発明において「水中の人間を監視するためのシステム」は、水中の人間を監視するための少なくとも１つの装置と少なくとも１つのベースステーションとから構成された、少なくとも一方向において互いに交信するように調整されたシステムであると理解される。
【０１０１】
本発明において「ベースステーション」とは、信号装置自体、及び／又は、信号装置の信号、特に音声信号を検出し、信号装置に加えて、音声信号及び／又は視覚信号及び／又は無線信号及び／又は電気信号の形で危険な事態を示すために設けられた、あらゆる装置であると理解される。
【０１０２】
これは特に有利である。なぜなら、それによって、監視されるべき人間の周囲の人々に、監視されるべき人間が危険な事態に陥っていることを示すという、当該装置の効果が強化されるからである。
【０１０３】
一実施形態によると、ベースステーションは、例えば救助隊及び／又は水難救助隊及び／又は消防署及び／又は警察署及び／又は救急医療施設等の、さらに離れた場所にも、緊急通報を行うことができる。
【０１０４】
一実施形態によると、ベースステーションは、信号装置から、受信装置を用いて、音声信号及び／又は視覚信号及び／又は無線信号を受信するために設けられており、その際特に、信号、特に音声信号は、所定の周波数を有する信号であり、ベースステーションは特に、概ね、この所定の周波数を有する信号、又は、所定の周波数領域の信号にのみ反応するように設けられている。
【０１０５】
これは特に有利である。なぜなら、それによって、ベースステーションが誤ってアラームを発する危険が減少する一方で、同時に、実際に危険な事態を検出する可能性が上昇するからである。
【０１０６】
一実施形態によると、当該システムは、１つ又は複数の当該ベースステーションを有しており、当該ベースステーションは好ましくは、スイミングプール又は比較的大きな河川の遊泳区域に配置されているので、装置によって送信された信号は、監視されるべき人間がいる位置とは無関係に、障害無く受信される。その際、特に、比較的大きいスイミングプール又は海水浴場には、好ましくは複数のベースステーションが配置されている。
【０１０７】
本発明のさらなる態様によると、水中の人間を監視するための方法は、以下のステップを、特に以下の順序で有している：
Ｓ１  上述の様々な実施形態に係る、水中の人間を監視するための装置を、人間に固定するステップ；
Ｓ２  センサ装置によって、人間が水中に位置しているか、特にどのくらいの水深に位置しているかを検出するステップ；
Ｓ３  監視装置の時間計測装置によって、人間がどのくらい長く水中に留まっているか、特に前もって定めた深さよりも深くに留まっているかを検出するステップ；
Ｓ４  人間が、前もって定めた時間よりも長く水中に、特に前もって定めた深さよりも深くに、特に連続的に留まっている場合に、危険な事態であると確定するステップ；
Ｓ５  監視装置の信号に応じて、信号装置を担体装置から、少なくとも部分的、特に完全に解除するステップ；
Ｓ６  信号装置が水面に上昇するステップ；及び、特に、
Ｓ７  信号装置によって、音声信号及び／又は視覚信号及び／又は無線信号を送信するステップ。
【０１０８】
当該方法の利点及びさらなる構成に関しては、装置に関する上述の説明が参照され、この説明は、当該方法に関しても同様に有効である。
【０１０９】
一実施形態によると、当該装置は、水中に存在する場合に初めて作動する。これは例えば、当該装置に接触スイッチが設けられていることによって実現可能であり、当該接触スイッチは、当該装置が水中に存在する場合はすぐに、監視機能をアクティブに切り替える。
【０１１０】
本発明のさらなる態様は、上述の様々な実施形態に係る、水中の人間を監視するための装置の使用、及び／又は、上述の様々な実施形態に係る、人間、特に子供を、酸素の欠乏による危険、特に溺死から守るためのシステムの使用に関する。
【０１１１】
本発明のさらなる有利な発展形態は、従属請求項と、以下の好ましい実施形態の説明とから生じる。示されているのは以下の図である：
【図面の簡単な説明】
【０１１２】
【図１】本発明の一実施形態に係る、水中の人間を監視するための装置の、一部が透明な概略的斜視図である。
【図２】図１に係る装置の監視装置及び信号装置から成る共通ユニットの、一部が透明な概略的斜視図である。
【図３ａ】図１に係る装置の、図２に示した監視装置及び信号装置から成る共通ユニットの、一部が透明な概略的上面図である。
【図３ｂ】図１に係る装置の、図２に示した監視装置及び信号装置から成る共通ユニットの、一部が透明な概略的側面図である。
【図４】図１に係る装置の、モータ及び圧力チャンバと、それらを接続する要素との概略的斜視図である。
【図５】図１に係る装置の圧力チャンバ及び弁の概略的立体分解図である。
【図６】図１に係る装置の、一部が透明な概略的斜視図であって、監視装置及び信号装置から成る共通ユニットが、担体装置から解除（危険な事態のように）されていることを示す図である。
【図７】図１に係る装置の、監視装置及び信号装置から成る共通ユニットの、一部が透明な概略的斜視図であって、共通ユニットが、膨らませた浮体と共に水面に存在していることを示す図である。
【図８】第１の実施形態の変型例による、監視装置及び信号装置から成る共通ユニットの、一部が透明な概略的斜視図である。
【図９】本発明の第２の実施形態に係る弁を有する圧力タンクの、火工品の点火前の状態における、２つの異なる視点からの、一部が透明な概略的斜視図である。
【図１０】図９に係る弁を有する圧力タンクの、火工品の点火後の状態における、２つの異なる視点からの、一部が透明な概略的斜視図である。
【図１１】図９に係る第２の実施形態の弁の、火工品の点火前の状態における、一部が透明な概略図である。
【図１２】図９に係る第２の実施形態の弁の、火工品の点火後の状態における、一部が透明な概略図である。
【図１３ａ】さらなる実施形態による、本発明に係る装置の第１の構成要素としての、アラーム要素の概略図である。
【図１３ｂ】図１３ａの実施形態による、本発明に係る装置の第２の構成要素としての、ベース装置の概略図である。
【図１４】図１３ａに係るアラーム要素と図１３ｂに係るベース装置とが固定された状態である、さらなる実施形態による、本発明に係る装置の概略図である。
【図１５】分離した状態における、図１４に示した本発明に係る装置の概略図であって、アラーム要素が水面に向かう途中であることを示す図である。
【図１６】膨らませた浮体で水面に存在している、図１３ａに係るアラーム要素の概略図である。
【図１７】本発明の一実施形態に係るシステムと、スイミングプールでの使用例とを示す概略図である。
【図１８】本発明の一実施形態に係る、水中の人間を監視するための方法の概略図である。
【図１９】さらなる実施形態による、本発明に係る装置の概略的横断面図である。
【図２０】図１９に係る装置のアラーム要素の、概略的な部分立体横断面図である。
【図２１】図１９に係る装置のベース装置の、一部が透明な概略的斜視図である。
【図２２】図１９に係る装置を、接続された接続ケーブルと共に示した概略的斜視図である。
【図２３】図１９に係る装置のベース装置の概略的斜視図である。
【発明を実施するための形態】
【０１１３】
図１、図２、図４、図５及び図６は、水中の人間を監視するための装置１（以下、装置１）、又は、本発明の一実施形態に係る当該装置の構成要素の、概略的斜視図である。装置１は、担体装置１００、監視装置２００及び信号装置３００を有している。
【０１１４】
図１に示された実施形態に係る装置１は、監視されるべき人間１０の腕、特に手首に装着するように構成されている。そのために、担体装置１００は、リストバンド１１０を有しているが、当該リストバンドは部分的にのみ図示されている。監視装置２００は、ディスプレイ２１０、バッテリ２２０、モータ２４０、圧力タンク２５０及びプレート２６０を有している。信号装置３００は、浮体３１０及び強誘電性振動体３２０を有している。
【０１１５】
図１の実施形態に係る装置１では、監視装置２００及び信号装置３００は、共通ユニットとして、すなわち特にベースとして共通のプレート２６０を有し、共に鋳造材料２０２を用いて、少なくとも部分的に水密に鋳造されて構成されている。これは、危険な事態において、監視装置２００と信号装置３００との間の接続が解除されず、両方の装置２００、３００が、バッテリ２２０の形で、共通のエネルギー供給部を分け合うことができるという利点を有している。鋳造材料２０２に囲まれていないのは、特に浮体３１０と強誘電性振動体３２０と、ロック２５２ｂ２及び圧力センサ装置２６４の少なくとも一部である。
【０１１６】
モータ２４０は、駆動部２４２と雌ネジインターフェース２４４とを有している。
【０１１７】
圧力タンク２５０は、弁２５２を有しており、弁２５２は、バルブハウジング２５２ａとバルブピン２５２ｂとを有している。圧力タンク２５０はさらに、ガス出口２５４、特に溶接された端部２５６、及び、セルフシールの充填ネジ２５８を有している。圧力タンク２５０には、２００ｂａｒに加圧された空気が充填されている。圧力タンク２５０は、実際に用いられる圧力の少なくとも２倍である最大圧力まで許容できる。それによって、装置１の、特に望ましくないガス流出に対する安全性は、さらに改善され得る。バルブハウジング２５２は、その一方の端部において、圧力タンク２５０とガスを誘導するように接続されており、その他方の端部において、ガス出口２５４を介して、ガスを誘導するように浮体３１０と接続されている。バルブピン２５２ｂは、雄ネジインターフェース２５２ｂ１とロック２５２ｂ２とを有している。
【０１１８】
モータ２４０は、力又はトルクを伝達するように、駆動部２４２と接続されている。駆動部２４２は、モータ２４０によって形成されたトルクの方向を、約９０°の角度において方向転換させ、特にモータ２４０によって供給される回転速度を減少させるために設けられている。
【０１１９】
駆動部２４２の出口側端部では、方向及び／又は回転速度に関して修正された回転運動が、雌ネジインターフェース２４４に伝達される。雌ネジインターフェース２４４は、バルブピン２５２ｂの雄ネジインターフェースに係合している。バルブピン２５２ｂは、バルブハウジング内に、バルブピン２５２ｂの並進運動のみが許容されるように取り付けられている。特に、さね継ぎによって、バルブピン２５２ｂは、長手軸周囲の回転運動を妨げられる。モータ２４０の回転運動は、雌ネジインターフェース２４４の回転を生じさせる。雌ネジインターフェース２４４は、バルブピン２５２ｂが、その長手軸に沿って並進運動を行うために設けられている。これは、バルブピン２５２ｂが、互いに係合したネジのかみ合わせによって、バルブハウジング２５２ａ内を、市販された万力の場合と同様に移動することによって行われる。万力の場合は、同様に、その自由度が制限されたナットにおける回転が、可動のリテーナージョーの動きを誘導する。
【０１２０】
バルブピン２５２ｂは、記載された実施形態において、２つの課題を履行している：一方では、その元からの課題である、弁２５２の閉口又は開口であり、他方では、解除可能に担体装置１００に接続された共通ユニットのロック又は解除である。このために、バルブピン２５２のロック２５２ｂは、担体装置１００の凹部に係合し、それによって、共通ユニットを、担体装置１００に特に形状接続的に固定する。
【０１２１】
初期状況（すなわち危険が検出されていない状況）では、バルブピン２５２ｂは、圧力タンク２５０と、バルブピンの一方の端部とを閉止しており、当該端部は、ロック２５２ｂ２として用いられ、担体装置１００の凹部に差し込まれており、それによって、共通ユニット２００、３００が、担体装置１００に固定される。危険な事態において、モータ２４０が、上述したようにバルブピン２５２ｂを変位させ、それによって、ロック２５２ｂ２として用いられるバルブピンの一方の端部は、担体装置１００の凹部から引き抜かれ、それによって、共通ユニットは担体装置１００から解除される。この解除と同時に、又は、時間差をおいて、バルブピン２５２ｂは、圧力タンク２５０と浮体３１０との間のガスを誘導する接続を有効にする。
【０１２２】
ルシャトリエの原理に基づいて、圧力タンク２５０内の空気は、５ｃｍから１５ｃｍの直径と信号色とを有する浮体３１０、特にラテックスから成るバルーン内に膨張する。浮体は充填され、ガス出口を介して浮体に解除不能に接続された共通ユニットを、水面に向けて上方に引っ張る。
【０１２３】
危険な事態が検出された後、しかしながら遅くとも水面への到着に引き続いて、共通ユニット、特に強誘電性振動体３２０は、２ｋＨｚから１０ｋＨｚの範囲の周波数と約１００デシベルの音量とを有する音声信号の送信を開始する。
【０１２４】
ディスプレイ２１０には、最大深さ及び最長時間に関して設定された境界値に関する情報と、バッテリ２２０の充電状態及び装置１の使用準備状態に関する情報とが、特に圧力タンク２５０の内部圧力に関する直接又は間接の情報を通じて示される。ディスプレイ２１０は、それに加えて、現金不要支払いシステムの勘定残高又はコインロッカーの番号又は残りの遊泳時間といった、さらなる情報を示すために用いられる。
【０１２５】
図３ａ及び図３ｂは、図２に係る監視装置及び信号装置から成る共通ユニットを示す、一部が透明な概略的上面図又は側面図である。
【０１２６】
プレート２６０上に配置されているのは、ディスプレイ２１０、バッテリ２２０、駆動部２４２を有するモータ２４０、雌ネジインターフェース２４４、バルブハウジング２５２ａ及びバルブピン２５２ｂを有する弁２５２と共に圧力タンク２５０、ガス出口２５４、様々な電気部品及び／又は電子部品２６２、特に中央処理装置（ＣＰＵ）、圧力センサ装置２６４、浮体３１０、強誘電性振動体３２０、及び、強誘電性振動体３２０の接続ケーブル３２２である。
【０１２７】
バッテリ２２０として、市販されているボタン電池が用いられる。強誘電性振動体３２０は、接続ケーブル３２２を通じて、信号装置３００及び／又は監視装置２００と導電的に接続されている。
【０１２８】
その際、強誘電性振動体３２０は、浮体３１０の内部に配置されており、それによって、浮体３１０を、危険な事態において、共鳴体として用いることができる。
【０１２９】
図３ａ及び図３ｂからは、特に、鋳造材料２０２がどのように共通ユニットの周囲に延在しているかが明らかである。鋳造材料２０２に囲まれていないのは、特に、浮体３１０及び強誘電性振動体３２０と、ロック２５２ｂ２及び圧力センサ装置２６４の少なくとも一部、特にセンサである。
【０１３０】
図７は、図１に係る装置の、監視装置２００及び信号装置３００から成る共通ユニット２００、３００の、一部が透明な概略的斜視図であり、共通ユニット２００、３００は、膨らませた浮体３１０と共に水面２０に存在している。浮体３１０の寸法は、浮体３１０が、信号装置３００及び監視装置２００を水面２０まで搬送し、水面２０に保持することができるように、特に、浮体３１０の一部、特に信号色、特に赤色の浮体３１０の５０％以上が保持されているように設計されている。共通ユニット２００、３００が担体装置１００から解除されるとすぐに、又は、共通ユニット２００、３００が水面２０に向かう途中、又は、水面２０に位置する場合に、信号装置３００は、浮体３１０を共鳴体として利用すると共にバッテリ２２０によってエネルギーを供給される強誘電性振動体３２０を通じて、４ｋＨｚの周波数と１００デシベルの音量とを有する音響信号の送信を開始する。この音響信号は、１つ又は複数の信号色をした浮体３１０によって、水面２０で、事故に遭った泳者の位置特定に関して支援される。
【０１３１】
図８は、図１、図２、図４、図５及び図６の実施形態に関連して言及された、上述した共通ユニットの第１の実施形態の変型例を示している。上述の全ての説明は、以下の説明から他のことが生じない限りにおいて、第１の実施形態の当該変形例に関しても同様に有効である。
【０１３２】
図８の共通ユニットは、上述の図１、図２、図４、図５及び図６に示された共通ユニットとは、圧力タンク２５０、バルブハウジング２５２ａ及びバルブピン２５２ｂの一部が、付加的に、鋳造材料２０２によって囲まれていない点で異なっている。これは、圧力タンク２５０から望ましくないガス流出が、特に漏出という形で生じた場合に、漏出したガスが、鋳造材料２０２に流入せず、鋳造材料に損傷を与えず、さらなる損傷を生じることなく、装置１において周囲に放出されるという利点を有している。さらに、当該実施形態は有利である。なぜなら、予定通り又は予定外の検査の際に、圧力タンク２５０に、より容易に接触できるからである。
【０１３３】
共通ユニットは、危険ではない場合、好ましくは保護カバー（図示せず）によって覆われている。
【０１３４】
モータ２４０は、代替的に、バルブピン２５２ｂと並ぶように位置合わせされ得るので、駆動部２４２を用いなくても良い。
【０１３５】
駆動部２４２を有するモータ２４０、雌ネジインターフェース２４４、及び、雄ネジインターフェース２５２ｂ１の代わりに、リニア駆動部、特にステッピングモータを設けることも可能であり、当該ステッピングモータは、バルブピン２５２ｂに、力を伝達するように直接接続されており、バルブピン２５２ｂを移動させる。
【０１３６】
図９、図１０、図１１及び図１２は、本発明の第２の実施形態に係る弁２５２を有する圧力タンク２５０の、一部が透明な概略的斜視図であり、火工品２５２ｅの作動の前（図９及び図１１）及び後（図１０及び図１２）における状態を、様々な視点から示している。第１の実施形態に関する上述の説明は全て、以下の説明から他のことが生じない限りにおいて、第２の実施形態に関しても同様に有効である。
【０１３７】
本発明の第２の実施形態は主に、バルブピン２５２ｂの移動が、モータ２４０によってではなく、火工品２５２ｅによって引き起こされるという点で、第１の実施形態とは異なっている。従って、第２の実施形態では、モータ２４０、駆動部２４２、雌ネジインターフェース２４４、及び、バルブピン２５２ｂの雄ネジインターフェース２５２ｂ１という構成要素が用いられない。
【０１３８】
火工品２５２ｅは、第１の圧力導管２５２ｇ内で、バルブハウジング２５２ａ内部に配置されており、バルブハウジング２５２ａは、１０００ｂａｒまでの圧力を有する空気に関して、好ましくは概ね気密、特に気密である。
【０１３９】
火工品２５２ｅは、接触装置２５２ｆを介して、監視装置２００、特にバッテリ２２０に導電的に接続されている。
【０１４０】
火工品２５２ｅはさらに、第１の圧力導管２５２ｇを介して、特にテフロン含有ピストンの形状を有するアクチュエータ装置２５２ｃに、ガスを誘導するように接続されており、火工品２５２ｅの点火の際に生じるガスは、アクチュエータ装置２５２ｃに、アクチュエータ装置２５２ｃを少なくとも所定の移動方向、特にアクチュエータ装置２５２ｃの長手軸の移動方向に変位させるために十分である力を、伝播方向２５２ｅ１において加える。
【０１４１】
アクチュエータ装置２５２ｃはさらに、力伝達装置２５２ｄを介して、バルブピン２５２ｂに接続されている。その際、バルブピン２５２ｂの長手軸とテフロン含有ピストン２５２ｃの長手軸とは、互いに対して少なくとも略平行に、特に平行に位置決めされている。力伝達装置２５２ｄは、バルブハウジング２５２ａの外側に配置されており、アクチュエータ装置２５２ｃの動きが、軸方向、特にバルブハウジング２５２ａから出る方向において、バルブピン２５２ａに伝達されるように、バルブピン２５２ｂをアクチュエータ装置２５２ｃに接続するので、当該バルブピンは、アクチュエータ装置２５２ｃと少なくとも略同じ、特に同じように移動する。
【０１４２】
火工品２５２ｅの点火前の状態（図９及び図１１）では、アクチュエータ装置２５２ｃは、少なくとも略完全に、特に完全に、バルブハウジング２５２ａに押し込まれている。
【０１４３】
第１の実施形態と同様に、バルブピン２５２ｂは、初期状況（すなわち危険が検出されていない状況）では、圧力タンク２５０と、バルブピン２５２ｂの一方の端部とを閉止しており、当該端部は、ロック２５２ｂ２として用いられ、担体装置１００の凹部に差し込まれており（図９から図１２には示されていない）、それによって、共通ユニット２００、３００が、担体装置１００に固定される。危険な事態（図１０及び図１２を参照）において、バルブピン２５２ｂが、以下に記載するように変位し、それによって、ロック２５２ｂ２として用いられるバルブピン２５２ｂの一方の端部は、担体装置１００の凹部から引き抜かれ、それによって、共通ユニットは担体装置１００から解除される。この解除と同時に、又は、時間差をおいて、バルブピン２５２ｂは、圧力タンク２５０と浮体３１０との間のガスを誘導する接続を有効にする。
【０１４４】
危険な事態において、監視装置２００によって、エネルギーが、バッテリ２２０から火工品２５２ｅに伝達される。その際、電圧１２Ｖのエネルギーパルスが好ましい。当該エネルギーパルスによって、火工品２５２ｅが点火される。すなわち、火工品２５２ｅの構成要素及び／又は火工品２５２ｅの物質若しくは火工品２５２ｅ内部の物質が燃焼する。その際、ガスが発生し、当該ガスはバルブハウジング２５２ａに蓄積し、アクチュエータ装置２５２ｃに対して作用する圧力を形成する。アクチュエータ装置２５２ｃは、バルブハウジング２５２ａ内部に形成される圧力ゆえに、バルブハウジング２５２ａから少なくとも部分的に押し出される。上述したように、アクチュエータ装置２５２ｃは、力伝達装置２５２ｄを介してバルブピン２５２ｂに、アクチュエータ装置２５２ｃの動きがバルブピン２５２ａに伝達されるように接続されており、それによって、当該バルブピンは、同様に、その長手軸に沿って横方向に変位する。これによって、ロック２５２ｂ２として用いられるバルブピン２５２ｂの一方の端部は、担体装置１００内の凹部から引き出され、それによって、共通ユニットは、担体装置１００から解除される。この解除と同時に、又は、時間差をおいて、バルブピン２５２ｂは、圧力タンク２５０ａの出口を通じて、圧力タンク２５０と浮体３１０へのガス出口２５４との間の、ガスを誘導する接続Ｌを有効にする。
【０１４５】
図１３ａ、図１３ｂ、図１４、図１５及び図１６には、本発明に係る装置のさらなる実施形態が示されている。このさらなる実施形態は、上述の実施形態の内の少なくともいくつかの実施形態とは特に、以下の点において異なっている。すなわち、危険な事態において、監視装置２００及び信号装置３００から成る共通ユニットが担体装置１００から解除されるのではなく、危険な事態において、監視装置２００の各構成要素が担体装置１００内に残存する一方で、監視装置２００の他の構成要素が信号装置３００と共に水面２０に上昇する。特に、各構成要素の態様及び作用機構に関する上述の説明は、以下の説明及び／又は関係する図面から他のことが生じない限りにおいて、これらのさらなる実施形態にも有効である。
【０１４６】
信号装置３００は、以下に記載する監視装置２００の構成要素と共に、アラーム要素５００を形成しており、当該構成要素は、危険な事態において、信号装置３００と共に、水面２０に上昇する。
【０１４７】
担体装置１００は、以下に記載する監視装置２００の構成要素と共に、ベース装置６００を形成しており、当該構成要素は、危険な事態において、担体装置１００に残存する。
【０１４８】
図１３ａは、浮体３１０の無い（図示せず）、アラーム要素５００の概略図である。アラーム要素５００は、圧力タンク２５０、特に火工品２５２ｅを有する弁２５２、浮体３１０、浮体３１０を固定するための浮体取り付け部３１２、強誘電性振動体３２０、及び、アラーム要素電子機器５１０を有している。アラーム要素電子機器５１０は、アラーム要素５００をベース装置６００に電気的に接続するためのプラグ‐ソケットシステム（図示せず）の一部を有しており、当該ベース装置は、プラグ‐ソケットシステム（図示せず）の補完的な部分を有している。さらに、アラーム要素電子機器５１０は、バッテリ２２０、特にボタン電池の形状を有する、自立したエネルギー供給部を有している。強誘電性振動体３２０に加えて、好ましい実施形態に係るアラーム要素５００はさらに、光電気部品（図示せず）、特に発光ダイオードを有することが可能であり、それによって、危険な事態において、強誘電性振動体によって生成された音声信号の効果が、特に光信号、特に点滅信号、好ましくは間隔を置いて発せられるフラッシュ様の信号の形において、視覚的に支援される。
【０１４９】
弁２５２は、図１３ａの実施形態では、場所を最適に利用するために、圧力タンク２５０に統合されている。弁２５２の作用機構は、上述の、他の実施形態に関する説明に対応する。図１３ａに、火工技術による弁の作動に関する好ましい変型例が示されているとしても、自明のことながら、上述したモータによる弁の作動も、アラーム要素５００において実現可能である。危険な事態において弁２５２を通って放出されたガスは、例えば浮体取り付け部３１２の内側縁部の近くに配置されたガス出口２５４（図示せず）を通って、浮体３１０に流入し、当該浮体を膨らませる。
【０１５０】
強誘電性振動体３２０は、図１３ａの実施形態では、矢印３２０で示された開口部の後方で、特にアラーム要素電子機器５１０のプレート上に配置されている。
【０１５１】
アラーム要素電子機器５１０は、ベース装置６００の信号に応じて、弁２５２を開口するように設けられており、特に調整されているので、浮体３１０は広げられ、アラーム要素５００は、以下に詳細に記載するように、ベース装置６００から解除されて水面２０に上昇し、水面において、音声信号を用いて、特に光信号によって音声信号の効果を支援して、危険な状況に注意を喚起する。
【０１５２】
その際、弁２５２を作動させるため、特に火工品２５２ｅを点火するためのエネルギーは、アラーム要素のバッテリ２２０によって、又は、以下に詳細に記載するように、ベース装置６００のエネルギー貯蔵装置（図示せず）によって供給され得る。
【０１５３】
アラーム要素５００は、危険でない場合には、他の実施形態に関して上述したように、ロック２５２ｂ２（図１３ａでは図示されていない）を通じて、凹部（図示せず）を用いて、ベース装置６００に固定されている（図１４を参照）。危険な事態において、バルブピン２５２ｂが、上述したように変位し、それによって、ロック２５２ｂ２として用いられているバルブピンの一方の端部が、ベース装置６００の凹部から引き出され、それによって、アラーム要素５００は、ベース装置６００から解除される。
【０１５４】
図１３ｂには、ベース装置６００が示されている。ベース装置６００は、時計と比較できるように、リストバンド（図示せず）によって、監視されるべき人間の腕、特に手首に装着できるように設けられている。自明のことながら、ベース装置を、対応して、監視されるべき人間１０の別の身体部分、特に脚部、頸部、頭部等に固定することも同様に可能である。
【０１５５】
ベース装置６００は、アラーム要素５００から独立したエネルギー供給部、特にバッテリ、好ましくは再充電可能な蓄電池（図示せず）を利用できる。さらに、ベース装置６００は、有線の、特にケーブルで接続された、及び／又は、ワイヤレスの、特に無線式の、例えばＷＬＡＮ、Ｂｌｕｅｔｏｏｔｈ等の、及び／又は、光ベースの、特に赤外線ベースの、外部のデータ処理装置と通信するためのインターフェースを有しており、例えばＰＣ、スマートフォン等である。これらのインターフェースを通じて、データが装置から読み出され得る、及び／又は、データが、上述したように、特にデータ処理装置にインストールされた装置特有のプログラムを用いて作成され得る。
【０１５６】
ベース装置６００はさらに、ディスプレイ２１０及びベース装置電子機器６１０を有している。ベース装置電子機器６１０は、少なくとも上述の構成要素の内、以下の構成要素を有しており、当該構成要素は、比較可能な方法で構成され、機能している：別の実施形態に関して上述された処理装置の課題の少なくとも一部を、アラーム要素電子機器５１０が実行しない場合に実行するために設けられた処理装置、及び、センサ装置２６４、特に圧力センサ装置。
【０１５７】
少なくとも１つのセンサ装置２６４の評価は、ベース装置６００の処理装置によって行われる。当該処理装置が、危険な事態が存在しているという結論に達した場合、当該処理装置は、アラーム要素５００に向けて信号を送信し、その信号を受けて、当該アラーム要素は、上述したように、ベース装置６００から解除される。
【０１５８】
ベース装置６００はさらに、アラーム要素受容部６２０を有しており、当該アラーム要素受容部は、危険ではない場合に、アラーム要素５００を少なくとも部分的に、自身の内に、又は、図示されていない実施形態では、自身に接して受容するために設けられている。
【０１５９】
危険でない場合には、ベース装置６００は、アラーム要素５００に導電的に接続されている。特に、このような方法で、アラーム要素電子機器５１０は、危険でない場合には、ベース装置６００のエネルギー供給部によって電力を供給され得るので、当該実施形態において、特に少なくとも概ね再充電不可能であるバッテリ２２０が保護される。このような方法でも、アラーム要素５００のバッテリ２２０の充電状態が監視され、例えばディスプレイ２１０を通じて通信され得る。場合によっては、ベース装置６００のエネルギー供給部が、バッテリ２２０の電圧を維持し、特に必要な場合には当該バッテリを充電するために用いられ得る。
【０１６０】
図１５及び図１６は、危険な事態におけるアラーム要素５００を示しており、図１５のアラーム要素５００は、まだ水面２０への上昇段階にあるのに対し、図１６ではすでに水面に到着している。
【０１６１】
解除、水面への上昇及び水面における共通ユニットの挙動に関する上述の説明は、上述の説明又は図面から他のことが生じない限りにおいて、少なくとも略同じように、アラーム要素及びベース装置を有する実施形態にも当てはめられる。
【０１６２】
図１７は、本発明の一実施形態に係るシステム、及び、スイミングプールでの使用例の概略図である。監視されるべき人間１０はそれぞれ、装置１を手首に装着している。受容装置４１０及び送信装置４２０を有する少なくとも１つのベースステーション４００は、受信装置４１０が、装置１、特に信号装置３００の信号を受信できるようにスイミングプールに配置されている。
【０１６３】
プールの底にいる人間１０の装置１の信号装置３００は、音声信号を送信するので、他の泳者１０又はプールの周囲にいる人々（図示せず）は、危険な事態に気付かされる。ベースステーション４００は、その受信装置４１０を用いて音声信号を検出し、その送信装置４２０を用いて、例えば救助隊及び／又は水難救助隊及び／又は消防署及び／又は警察署及び／又は救急医療施設等の、さらに離れた場所にも、緊急通報を行う。付加的に、送信装置４２０は、さらなる音声信号及び／又は視覚信号を生成することが可能であり、当該信号は、さらに離れた、例えばプールサイドの人々にも、危険な事態を気付かせるものである。
【０１６４】
図１８は、本発明の一実施形態に係る、水中の人間を監視するための方法を概略的に示しており、当該方法は以下のステップを、特に以下の順序で有している：
Ｓ１  上述の様々な実施形態に係る、水中の人間を監視するための装置を、人間に固定するステップ；
Ｓ２  センサ装置によって、人間が水中に位置しているか、特にどのくらいの水深に位置しているかを検出するステップ；
Ｓ３  監視装置の時間計測装置によって、人間がどのくらい長く水中に留まっているか、特に前もって定めた深さよりも深くに留まっているかを検出するステップ；
Ｓ４  人間が、前もって定めた時間よりも長く水中に、特に前もって定めた深さよりも深くに、特に連続的に留まっている場合、危険な事態であると確定するステップ；
Ｓ５  監視装置の信号に応じて、信号装置を担体装置から、少なくとも部分的、特に完全に分離するステップ；
Ｓ６  信号装置が水面に上昇するステップ。
【０１６５】
図１８において破線で示したように、任意のステップとして、当該方法はさらに以下のステップを有している：
Ｓ７  信号装置によって、音声信号及び／又は視覚信号及び／又は無線信号を送信するステップ。
【０１６６】
図１９から図２３には、本発明に係る水中の人間を監視するための装置１の、さらなる実施形態が示されており、当該装置は、アラーム要素５００とベース装置６００とを有している。
【０１６７】
図１９では、アラーム要素５００はベース装置６００に接続されており、特にベース装置６００のアラーム要素受容部６２０にはめ込まれており、浮体３１０は図示されていない。
【０１６８】
図１９及び図２０のアラーム要素５００は、圧力タンク２５０を有しており、当該圧力タンクは、アラーム要素５００内部の凹部によって形成されており、特にさらに、アラーム要素５００のカバーによって画定されている。図１９のバルブピン２５２ｂは、圧力タンク２５０と浮体３１０との間のガス流路を開放したが、図２０の当該ガス流路は、バルブピン２５２ｂによって遮断されている。閉止された位置（図２０）から、開放された位置（図１９）へのバルブピンの移動は、好ましくは非破壊に、可逆的に構成されている。バルブピン２５２ｂの移動は、図示された実施形態によると、火工品２５２ｅによって引き起こされる。火工品２５２ｅは、危険な事態において、アラーム要素電子機器５１０の信号に応じて点火される。点火によって放出されたガスは、バルブピン２５２ｂに加えられる力を形成し、バルブピン２５２ｂを、閉止位置から開放位置へと移動させる。点火は、アラーム要素電子機器５１０の信号を通じて行われ、当該アラーム要素電子機器は、はめ込まれた状態では、電気的接触部５５０、６５０を通じて、ベース装置電子機器６１０と、信号及び／又はエネルギーを誘導できるように接続されている。電気的接触部５５０、６５０は、好ましくは、危険な事態において、特にアラーム要素５００がベース装置６００から解除される場合に、互いに分離するように構成されている。
【０１６９】
図１９から図２３の実施形態によると、センサ装置２６４は、特に圧力センサ装置の形で、ベース装置６００内に配置されている。測定データが、アラーム要素５００に伝達され、深さ、特に時間の監視が、アラーム要素電子機器５１０によって行われるか、又は、測定データが、ベース装置電子機器によって監視され、危険な事態において、制御信号がアラーム要素電子機器５１０に伝達され、当該アラーム要素電子機器は、火工品２５２ｅの点火を引き起こす。
【０１７０】
アラーム要素５００のエネルギー供給は、特に危険な事態においてベース装置６００から分離した後は、自身のバッテリ５４０を通じて行われる。
【０１７１】
ベース装置６００のエネルギー供給は、特に危険な事態におけるアラーム要素５００の分離の後、自身のバッテリ６４０を通じて行われる。
【０１７２】
アラーム要素５００は、浮体３１０が膨らまされ、浮遊可能な状態に移行する間に、浮体３１０の増大する体積が、ベース装置６００、特に底板の一部に作用する力を形成するために用いられ、この力が、アラーム要素５００のベース装置６００からの分離をもたらすことによって、危険な事態においてベース装置６００から分離するように調整されている。
【０１７３】
浮体３１０は、浮体取り付け部３１２によって、アラーム要素５００に保持される。強誘電性振動体３２０は、浮体３１０の内側空間と、ガスを誘導するように接続されている。このような方法で、強磁性振動体３２０によって形成された音は、浮体３１０を通じて、少なくとも部分的に、水面より上側に送信される。
【０１７４】
はめ込まれた状態では、アラーム要素５００は、ベース装置６００に対して、密封装置５２０、特にシールリングを用いて密封されている。同様に、ベース装置６００の各部材又はアセンブリは、密封装置６３０、特にシールリングを通じて、互いに対して密封されていて良い。
【０１７５】
図２１に示したように、ベース装置６００は、特にスリット様の流路を有しており、当該流路は、センサ装置２６４を、周囲、特に装置１を囲む水と、流体を誘導するように接続している。このような方法で、センサ装置２６４は、汚れ及び／又は衝突等の望ましくない物理的影響から、少なくとも概ね守られている一方で、検出されるべきパラメータ、特に水深の基準としての周囲圧力の検出が可能である。
【０１７６】
多極、特に４極の接触部を通じて、装置１を、少なくとも一時的に、ＰＣ等の外部の制御装置（図示せず）と接続することが可能である。このような方法で、深さ及び／又は深さの境界値の下側に位置する最長時間に関する境界値が、監視されるべき人間の水位に応じて適合可能であり、及び／又は、データ、特に深さ／時間プロフィールの読み出し等が可能である。
【０１７７】
図２２及び図２３に示された実施形態によると、接続ケーブル７００は接続装置７１０と共に、外部の制御装置と接続している間、特に磁気のロック６６２を用いて、ベース装置６００に保持される。
【０１７８】
危険な事態において、特に濁った水の中で、監視されるべき人間の発見を容易にするために、ベース装置６００はさらに、位置特定装置３３０を、ＬＥＤの形、特に高出力ＬＥＤの形で有しており、ＬＥＤは、危険な事態において、好ましくは点滅する光信号を発する。
【０１７９】
以上において、例示的な実施形態を説明してきたが、多くの変型例が可能であることを指摘しておきたい。加えて、これらの例示的な実施形態は、保護範囲、適用及び構造を何ら限定しない例のみであることを指摘しておく。むしろ、当業者には、上述の説明によって、少なくとも１つの例示的実施形態を実施するための手引きが与えられており、特に記載された構成要素の機能及び配置に関して、請求項及び当該請求項と同等の特徴の組み合わせから生じる保護範囲を離れることなく、様々な変更を加えることが可能である。
【符号の説明】
【０１８０】
１  水中の人間を監視するための装置（省略して「装置」）
２  システム
１０  人間
２０  水面
１００  担体装置
１１０  リストバンド
２００  監視装置
２０２  鋳造材料
２１０  ディスプレイ
２２０  バッテリ
２４０  モータ
２４２  駆動部
２４４  雌ネジインターフェース
２５０  圧力タンク
２５０ａ  圧力タンク２５０の出口
２５２  弁
２５２ａ  弁２５２のバルブハウジング
２５２ｂ  弁２５２のバルブピン
２５２ｂ１  バルブピン２５２ｂの雄ネジインターフェース
２５２ｂ２  ロック
２５２ｃ  アクチュエータ装置
２５２ｄ  力伝達装置
２５２ｅ  火工品
２５２ｅ１  伝播方向
２５２ｆ  接触装置
２５２ｇ  第１の圧力導管
２５２ｈ  密封リング
２５２ｉ  バルブピン誘導導管
２５４  ガス出口
２５６  端部
２５８  充填ネジ
２６０  プレート
２６２  電気部品、特に電子部品
２６４  センサ装置、特に圧力センサ装置
２６４ａ  入口
３００  信号装置
３１０  浮体
３１２  浮体取り付け部
３２０  強誘電性振動体
３２２  強誘電性振動体の接続ケーブル
３３０  位置特定装置
４００  ベースステーション
４１０  受容装置
４２０  送信装置
５００  アラーム要素
５１０  アラーム要素電子機器
５２０  密封装置、特にシールリング
５４０  アラーム要素のバッテリ
５５０  電気的接触部
６００  ベース装置
６１０  ベース装置電子機器
６２０  アラーム要素受容部
６３０  密封装置、特にシールリング
６４０  ベース装置のバッテリ
６５０  電気的接触部
６６０  データインターフェース
６６２  ロック
７００  接続ケーブル
７１０  接続装置
Ｌ  ガスの流れ方向
Ｓ１  装置の固定
Ｓ２  センサデータ検出
Ｓ３  時間の検出
Ｓ４  アラーム状態の発生
Ｓ５  信号装置の解除
Ｓ６  信号装置の上昇
Ｓ７  音声信号の送信
【図１】
2018530088.tif 000003
【図２】
2018530088.tif 000004
【図３ａ】
2018530088.tif 000005
【図３ｂ】
2018530088.tif 000006
【図４】
2018530088.tif 000007
【図５】
2018530088.tif 000008
【図６】
2018530088.tif 000009
【図７】
2018530088.tif 000010
【図８】
2018530088.tif 000011
【図９】
2018530088.tif 000012
【図１０】
2018530088.tif 000013
【図１１】
2018530088.tif 000014
【図１２】
2018530088.tif 000015
【図１３ａ】
2018530088.tif 000016
【図１３ｂ】
2018530088.tif 000017
【図１４】
2018530088.tif 000018
【図１５】
2018530088.tif 000019
【図１６】
2018530088.tif 000020
【図１７】
2018530088.tif 000021
【図１８】
2018530088.tif 000022
【図１９】
2018530088.tif 000023
【図２０】
2018530088.tif 000024
【図２１】
2018530088.tif 000025
【図２２】
2018530088.tif 000026
【図２３】
2018530088.tif 000027
【国際調査報告】
2018530088.tif 000028
2018530088.tif 000029
2018530088.tif 000030
2018530088.tif 000031
2018530088.tif 000032
2018530088.tif 000033